(57)【要約】      （修正有）【課題】少なくとも上部辺縁部が光吸収性層で被覆された、防眩用にも用いることのできるマスクを提供することを目的とする。【解決手段】耳紐部２を有するマスク本体１の少なくともマスクの上部、すなわち装着した際に目に近い部分の辺縁部分である上部辺縁部を布、不織布及び紙などの光吸収性シート３で覆うことにより、又はマスク面に光吸収性材料を黒色などの光吸収性特性をもつ染料で染色することにより、または塗布することにより光吸収性層を形成し防眩マスクとして構成する。【選択図】図３
2014150897.tif 000002
【特許請求の範囲】
【請求項１】
少なくとも上部辺縁部が光吸収性層で被覆された防眩マスク。
【請求項２】
前記光吸収性層が光吸収性シートである、請求項１に記載の防眩マスク。
【請求項３】
前記光吸収性層が塗布された光吸収性材料である、請求項１に記載の防眩マスク。
【請求項４】
前記光吸収性層の幅が０．５ｃｍ乃至２．０ｃｍである、請求項１乃至３のいずれか１項に記載の防眩マスク。
【請求項５】
前記光吸収性シートが、光吸収性の布、紙及び高分子膜からなる群から選択される少なくとも１つである、請求項２又は４に記載の防眩マスク。
【請求項６】
前記光吸収性シートがマスク本体から脱着自由である、請求項２、４又は５に記載の防眩マスク。
【請求項７】
前記光吸収性材料が光吸収性塗料である、請求項３又は４に記載の防眩マスク。
【請求項８】
前記光吸収性が黒色に由来する、請求項１から７のいずれか１項に記載の防眩マスク。
【発明の詳細な説明】
【技術分野】
【０００１】
本発明はマスクに関し、特に、少なくとも上部辺縁部が光吸収性層で被覆された防眩用にも用いることのできるマスクに関する。
【背景技術】
【０００２】
マスクは、鼻や口部分を衛生または防護目的で覆うものをいい、一般的に作業用マスク及と衛生マスクが含まれる。
【０００３】
従来、マスクは、呼吸の際に外部からの埃や塵、花粉などを防ぐ用途に用いられたり、また、風邪やインフルエンザの感染者のクシャミや咳などでウイルスを含んだ分泌物を外部に広く撒き散らしにくくする効果があり、風邪・インフルエンザに感染している患者は他人に伝染させない為、感染拡大を防ぐ為に着用されている。
【０００４】
一方、マスクは、屋外の太陽光の降り注ぐ眩しい環境下、雪上の眩しい環境下、又は屋内の人工灯の眩しい環境下で、従来の用途に用いられることもある。このような場合、防眩用にサングラスなどの防眩用品をマスクと併用することが通常行われている。
【発明の概要】
【発明が解決しようとする課題】
【０００５】
しかしながら、マスクとサングラスなどの防眩用品を併用することは煩雑であり、顔に窮屈な感触を与える。また、マスクをすることにより呼気がサングラスなどの防眩用品の曇りの原因となるという問題があった。
【０００６】
本発明は、サングラスなどの防眩用品との併用を避け、併用による煩雑さや窮屈感を避けることができる、簡便で廉価な防眩マスクを提供することを課題とする。
【課題を解決するための手段】
【０００７】
上記の課題を達成するため、本発明に係る造は以下の通りである。すなわち、
［１］
少なくとも上部辺縁部が光吸収性層で被覆された防眩マスク。
［２]
前記光吸収性層が光吸収性シートである、［１］に記載の防眩マスク。
［３］
前記光吸収性層が塗布された光吸収性材料である、［１］に記載の防眩マスク。
［４］
前記光吸収性層の幅が０．５ｃｍ乃至２．０ｃｍである、［１］乃至［３］のいずれか１項に記載の防眩マスク。
［５］
前記光吸収性シートが、光吸収性の布、紙及び高分子膜からなる群から選択される少なくとも１つである、［２］又は［４］に記載の防眩マスク。
［６］
前記光吸収性シートがマスク本体から脱着自由である、［２］、［４］又は［５］に記載の防眩マスク。
［７］
前記光吸収性材料が光吸収性塗料である、［３］又は［４］に記載の防眩マスク。
［８］
前記光吸収性が黒色に由来する、［１］から［７］のいずれか１項に記載の防眩マスク。
【発明の効果】
【０００８】
本発明によれば、サングラスなどの防眩用品との併用を避け、併用による煩雑さや窮屈感を避けることができ、延いては併用による防眩用品の曇りを避けることができる、簡便で廉価な防眩マスクを提供できる。
【図面の簡単な説明】
【０００９】
【図１】従来のマスクの１例（平型マスク）を示す図である。
【図２】従来のマスクの１例（立体型マスク）を示す図である。
【図３】本発明に係る防眩マスクの１例（防眩平型マスク）を示す図である。
【図４】本発明に係る防眩マスクの１例（防眩立体型マスク）を示す図である。
【図５】本発明に係る防眩マスクの１例（防眩立体型マスク）を示す図である。本例ではマスク本体（１）から本発明における光吸収性シート（２）が脱着可能に作成されている。
【発明を実施するための形態】
【００１０】
以下に、本発明の実施形態を図面に基づいて詳細に説明する。
【００１１】
従来、マスクは一般的に作業用マスク及と衛生マスクに分けられる。その用途により、家庭用マスク、医療用マスク、及び産業用マスクに分けられる。また、その形状により、平型マスク（図１）、立体型マスク（図２）及びプリーツ型マスクなどが用いられている。さらに、その材質により、ガーゼマスク、不織布マスク、スポンジ製マスク、ナイロン製マスクなどが知られている。
【００１２】
不織布を用いたマスクは現在の主流となっており、花粉症患者が多く使用しているといわれる。ガーゼマスクは布を重ねてミシンで縫い合わせたものであり、近年の衛生意識の高まりおよび花粉症患者のニーズに応え、多く使用されている。耳掛け部分が一体となったスポンジ製（厳密にはポリウレタンフォーム製）マスクはエバーマスクとも呼ばれている。ナイロンマスクは不織布やガーゼを化学繊維のナイロンで覆って作られたものである。
【００１３】
本発明の防眩マスクは、少なくとも上部辺縁部が光吸収性層で被覆されたことを特徴とする。すなわち、従来用いられている上記のようなマスクの少なくとも上部辺縁部が光吸収性層で被覆されたものであれば、種々のタイプのものが含まれ、防眩用として用いることができればよい。
【００１４】
本発明における前記「上部辺縁部」とは、マスクの上部、すなわち装着した際に目に近い部分の辺縁部分のことをいう。前記「上部辺縁部」は、少なくとも外気側の辺縁部のことをいうが、内部側が含まれてもよい。図３又は図４の本発明にかかる防眩マスクにおいては、「上記辺縁部」が斜線部で表示されている。図３及び図４は、本発明にかかる平型防眩マスク及び立体型防眩マスクをそれぞれ表す。
【００１５】
前記「上部辺縁部」は、通常、マスクの上端から下部へ向けてほぼ一定幅の範囲のことをいう。しかし、上部辺縁部のマスクの上端から下部へ向けた長さが、上部辺縁部の場所により異なってもよい。
【００１６】
前記「少なくとも上部辺縁部」とは、上部辺縁部のみが光吸収性層で被覆されたものばかりでなく、さらにマスク面の広範囲な部分が光吸収性層で被覆されたものも含まれることをいう。防眩効果は、ほぼ一定幅の上部辺縁部が光吸収性層で被覆されることにより達成できるが、マスクのデザイン上の観点からさらにマスク面の広範囲な部分が光吸収性層で被覆されてもよい。
【００１７】
本発明における「光吸収性層」は、本発明の防眩マスクとして被覆できるものであり、人に有害なものでなければ、特に限定されるものではない。例えば、マスク面を光吸収性シートで覆うことにより、又はマスク面に光吸収性材料を塗布することにより、前記「光吸収性層」がマスク面に形成される。
【００１８】
前記「光吸収性層」の幅は特に限定されないが、防眩効果及び上部辺縁部の作成費用低減の観点から、０．５ｃｍから３．０ｃｍが好ましく、０．５ｃｍから２．０ｃｍが更に好ましい。
【００１９】
本発明における前記「光吸収性シート」は、前記「光吸収性層」として光吸収性を有し、マスク面を覆うものであれば、特に限定されない。例えば、光吸収性の特性をもつ布、不織布及び紙などを挙げることができる。光吸収性の特性は、布、不織布及び紙などを、黒色などの光吸収性の特性をもつ染料で染色することにより、または黒色などの光吸収性の特性をもつ光吸収性材料を塗布することにより得られる。
【００２０】
前記「光吸収性シート」は、図５のようにマスク本体（１）に接着されていてもよいし、前記光吸収性シート（３）がマスク本体（１）から脱着自由であってもよい。前記光吸収性シートがマスク本体から脱着自由である場合には、必要に応じて防眩用の前記「光吸収性シート」を脱着することができる。
【００２１】
例えば図５で示される本発明にかかる防眩マスクにおいては、前記「光吸収性シート」（３）を両面テープ及び面ファスナー（マジックテープ（登録商標））などを用いて脱着可能にしたり、前記「光吸収性シート」（３）を接着剤で固定したり、縫い付けするなどして、マスク本体に装着することができる。
【００２２】
前記「光吸収性材料」は、マスク材料であるガーゼ、不織布などに塗布して前記「光吸収性層」を形成することができる。前記「光吸収性材料」は、人体に有害なものでなければ、特に限定されない。例えば、活性炭、墨汁、植物性黒色染料などの人体に無害な黒色染料を挙げることができる。
【００２３】
前記「光吸収性材料」は、既知の様々な塗布法によりマスク本体の「少なくとも上部辺縁部」に塗布することができる。
【符号の説明】
【００２４】
１          マスク本体
２          耳紐部
３          光吸収性シート
【図１】
2014150897.tif 000003
【図２】
2014150897.tif 000004
【図３】
2014150897.tif 000005
【図４】
2014150897.tif 000006
【図５】
2014150897.tif 000007